(57)【特許請求の範囲】
【請求項１】
被搬送体の搬送速度を検出するエンコーダから前記被搬送体の搬送速度に応じた周期のパルス信号を含むエンコーダ信号を入力するエンコーダ信号入力部と、
前記入力したエンコーダ信号から前記パルス信号が検出される毎に、次のパルス信号を検出する有効検出期間を設定する有効検出期間設定部と、
前記設定された前記有効検出期間内のみ前記エンコーダ信号から前記パルス信号を検出するパルス信号検出部と、
前記エンコーダ信号から前記有効検出期間内に前記パルス信号が検出されない場合、前記有効検出期間後にパルス信号を生成するパルス信号生成部と、
を備えたエンコーダ信号処理装置。
【請求項２】
前記有効検出期間設定部は、前記パルス信号検出部により検出された最新の複数のパルス信号から取得したパルス信号の周期と、前記被搬送体の搬送速度の変動幅とに基づいて前記有効検出期間を設定する請求項１に記載のエンコーダ信号処理装置。
【請求項３】
前記最新の複数のパルス信号は、３以上の前記パルス信号であり、
前記パルス信号の周期は、前記３以上の前記パルス信号から得られる２以上の周期の平均の周期である請求項２に記載のエンコーダ信号処理装置。
【請求項４】
前記パルス信号検出部は、前記有効検出期間内において、最初の１つのパルス信号のみを検出する請求項１から３のいずれか１項に記載のエンコーダ信号処理装置。
【請求項５】
前記パルス信号検出部により検出された前記パルス信号を一定時間だけ遅延させて出力する遅延回路を備えた請求項１から４のいずれか１項に記載のエンコーダ信号処理装置。
【請求項６】
前記一定時間は、前記有効検出期間に対応する時間である請求項５に記載のエンコーダ信号処理装置。
【請求項７】
請求項１から６のいずれか１項に記載のエンコーダ信号処理装置と、
画像データを入力する画像データ入力部と、
前記入力した画像データに基づいて駆動されるラインヘッドと、
前記被搬送体である印画媒体を前記ラインヘッドの長手方向と直交する方向に搬送する搬送部と、
前記搬送部による前記印画媒体の搬送速度に応じた周期のパルス信号を含む前記エンコーダ信号を出力する前記エンコーダと、
前記パルス信号検出部により検出された前記パルス信号及び前記パルス信号生成部により生成された前記パルス信号に同期して前記ラインヘッドによるライン画像の印画タイミングを制御する制御部と、
を備えたプリンタ。
【請求項８】
前記有効検出期間設定部は、前記パルス信号検出部により検出された複数のパルス信号であって、前記ラインヘッドによるライン画像の印画タイミング前の複数のパルス信号から取得したパルス信号の周期と、前記印画媒体の搬送速度の変動幅とに基づいて前記有効検出期間を設定する請求項７に記載のプリンタ。
【請求項９】
前記印画タイミング前の複数のパルス信号は、３以上の前記パルス信号であり、
前記パルス信号の周期は、前記３以上の前記パルス信号から得られる２以上の周期の平均の周期である請求項８に記載のプリンタ。
【請求項１０】
前記搬送部は、前記印画媒体を挟持して搬送するキャプスタンローラとピンチローラとを含み、
前記エンコーダは、前記キャプスタンローラの軸と同軸上に円板が配設され、前記円板の回転速度に応じた周期のパルス信号を含むエンコーダ信号を出力するロータリーエンコーダである請求項７から９のいずれか１項に記載のプリンタ。
【請求項１１】
前記印画媒体は、光量に応じて感光するインスタントフィルムであり、
前記制御部は、前記入力した画像データに基づいて前記ラインヘッドから発光する発光光量を制御し、前記インスタントフィルムを感光させる請求項７から１０のいずれか１項に記載のプリンタ。
【請求項１２】
請求項７から１０のいずれか１項に記載のプリンタと、
前記画像データ入力部として機能する撮像部と、
を備えたプリンタ付き撮像装置。
【請求項１３】
被搬送体の搬送速度を検出するエンコーダから前記被搬送体の搬送速度に応じた周期のパルス信号を含むエンコーダ信号を入力するステップと、
前記入力したエンコーダ信号から前記パルス信号が検出される毎に、次のパルス信号を検出する有効検出期間を設定するステップと、
前記設定された前記有効検出期間内のみ前記エンコーダ信号から前記パルス信号を検出するステップと、
前記エンコーダ信号から前記有効検出期間内に前記パルス信号が検出されない場合、前記有効検出期間後にパルス信号を生成するパルス信号生成部と、
を含むエンコーダ信号処理方法。
【発明の詳細な説明】
【技術分野】
【０００１】
本発明はエンコーダ信号処理装置、プリンタ、プリンタ付き撮像装置及びエンコーダ信号処理方法に係り、特にエンコーダから出力されるエンコーダ信号からパルス信号を良好に取得する技術に関する。
【背景技術】
【０００２】
一般に電動モータの回転量、回転速度、又は電動モータにより駆動される搬送装置により搬送される被搬送体の移動量又は移動速度等を検出するために、エンコーダ（光学式のロータリーエンコーダ）が広く利用されている。【０００３】
この種のエンコーダは、電動モータの回転軸又は電動モータの回転駆動力が伝達される軸に設けられた円板（回転スリット板）に対し、一方から発光ダイオード等からなる発光素子により光を照射し、フォトダイオード等の受光素子により、円板を透過した後の透過光、又は円板からの反射光を受光し、円板の回転速度に応じた周期のパスル信号を含むエンコーダ信号を出力する。ここで、エンコーダ信号は、受光素子の出力信号が増幅され、波形整形回路により矩形波に波形整形されているものとする。【０００４】
ところで、エンコーダ信号にノイズが混入した場合、円板の回転速度および／または回転位置が誤検出されるという問題がある。【０００５】
従来、エンコーダ信号に対するノイズ対策として、アナログのローパスフィルタ、又はデジタルのローパスフィルタにより高周波のノイズ信号を除去することが知られている（特許文献１）。特許文献１に記載の装置は、ノイズの大きさをパルス幅として検知し、ノイズ環境レベルに応じてノイズの大きさに応じたデジタルフィルタのフィルタ段数を設定するようにしている。
【先行技術文献】
【特許文献】
【０００６】
【特許文献１】特開２００３−１４８９９７号公報
【発明の概要】
【発明が解決しようとする課題】
【０００７】
エンコーダの回転スリット板には、その周囲に微細なスリット（例えば、幅１００μｍのスリット）が多数形成されているが、インスタントフィルムパックの装填時等にスリット幅以上のサイズのゴミが、エンコーダの回転スリット板のスリットに付着する場合がある。この場合、ゴミが付着したスリットに対応するパルス信号（矩形波信号）がエンコーダから出力されない（欠落する）という問題がある。【０００８】
特許文献１に記載の装置は、エンコーダ信号に混入するノイズ信号を除去することができるが、ゴミの付着等によりエンコーダ信号に含まれるべき本来のパルス信号が欠落する場合、欠落したパルス信号を検出することができないという問題がある。【０００９】
本発明は、このような事情に鑑みてなされたもので、エンコーダ信号に混入するノイズ信号の影響を除去し、かつエンコーダ信号から本来のパルス信号が欠落する場合も良好に対応することができるエンコーダ信号処理装置、プリンタ、プリンタ付き撮像装置及びエンコーダ信号処理方法を提供することを目的とする。
【課題を解決するための手段】
【００１０】
上記目的を達成するために本発明の一の態様に係るエンコーダ信号処理装置は、被搬送体の搬送速度を検出するエンコーダから被搬送体の搬送速度に応じた周期のパルス信号を含むエンコーダ信号を入力するエンコーダ信号入力部と、入力したエンコーダ信号からパルス信号が検出される毎に、次のパルス信号を検出する有効検出期間を設定する有効検出期間設定部と、設定された有効検出期間内のみエンコーダ信号からパルス信号を検出するパルス信号検出部と、エンコーダ信号から有効検出期間内にパルス信号が検出されない場合、有効検出期間後にパルス信号を生成するパルス信号生成部と、を備える。【００１１】
本発明の一の態様によれば、入力したエンコーダ信号からパルス信号が検出される毎に、次のパルス信号を検出する有効検出期間を設定する。これにより、有効検出期間以外の期間にノイズ信号が混入してもノイズ信号が誤って検出されることがなく、ノイズ信号を除去することができる。また、エンコーダ信号から有効検出期間内にパルス信号が検出されない場合、有効検出期間後にパルス信号を生成するため、エンコーダ信号から本来のパルス信号が欠落する場合でも、その欠落したパルス信号を補うことができる。【００１２】
本発明の他の態様に係るエンコーダ信号処理装置において、有効検出期間設定部は、パルス信号検出部により検出された最新の複数のパルス信号から取得したパルス信号の周期と、被搬送体の搬送速度の変動幅とに基づいて有効検出期間を設定することが好ましい。被搬送体の搬送速度が変化する場合、エンコーダ信号から検出されるパルス信号の周期も変化する。従って、設定される有効検出期間は、最新の複数のパルス信号から得られる現在の被搬送体の搬送速度に対応するパルス信号の周期と、被搬送体の搬送速度の変動を見越した変動幅とに基づいて設定する。【００１３】
本発明の更に他の態様に係るエンコーダ信号処理装置において、最新の複数のパルス信号は、３以上のパルス信号であり、パルス信号の周期は、３以上のパルス信号から得られる２以上の周期の平均の周期であることが好ましい。【００１４】
本発明の更に他の態様に係るエンコーダ信号処理装置において、パルス信号検出部は、有効検出期間内において、最初の１つのパルス信号のみを検出することが好ましい。有効検出期間内にノイズ信号が混入する場合、２以上のパルス信号が検出され得る。この場合、最初の１つのパルス信号のみを検出する。最初の１つのパルス信号がノイズ信号である場合も考えられるが、この場合のノイズ信号と本来のパルス信号とは搬送速度の変動幅以内の差であるため、後段の処理には支障がない。【００１５】
本発明の更に他の態様に係るエンコーダ信号処理装置において、パルス信号検出部により検出されたパルス信号を一定時間だけ遅延させて出力する遅延回路を備えることが好ましい。【００１６】
有効検出期間後にパルス信号が生成された場合、生成されたパルス信号とパルス信号検出部により検出されるべきパルス信号とが極力ずれないようにするためである。【００１７】
本発明の更に他の態様に係るエンコーダ信号処理装置において、一定時間は、有効検出期間に対応する時間であることが好ましい。【００１８】
本発明の更に他の態様に係るプリンタは、上記のエンコーダ信号処理装置と、画像データを入力する画像データ入力部と、入力した画像データに基づいて駆動されるラインヘッドと、被搬送体である印画媒体をラインヘッドの長手方向と直交する方向に搬送する搬送部と、搬送部による印画媒体の搬送速度に応じた周期のパルス信号を含むエンコーダ信号を出力するエンコーダと、パルス信号検出部により検出されたパルス信号及びパルス信号生成部により生成されたパルス信号に同期してラインヘッドによるライン画像の印画タイミングを制御する制御部と、を備える。パルス信号とともにノイズ信号にも同期してラインヘッドを駆動する場合にはノイズ信号の混入に伴う白スジが印画媒体に発生するが、ノイズ信号を除去することにより白スジの発生を防止することができる。また、パルス信号が欠落する場合には印画媒体に黒スジが発生するが、パルス信号が欠落する場合にはパルス信号を生成するため、黒スジを除去することができる。【００１９】
本発明の更に他の態様に係るプリンタにおいて、有効検出期間設定部は、パルス信号検出部により検出された複数のパルス信号であって、ラインヘッドによるライン画像の印画タイミング前の複数のパルス信号から取得した周期と、印画媒体の搬送速度の変動幅とに基づいて有効検出期間を設定することが好ましい。【００２０】
本発明の更に他の態様に係るプリンタにおいて、印画タイミング前の複数のパルス信号は、３以上のパルス信号であり、パルス信号の周期は、３以上のパルス信号から得られる２以上の周期の平均の周期であることが好ましい。【００２１】
本発明の更に他の態様に係るプリンタにおいて、搬送部は、印画媒体を挟持して搬送するキャプスタンローラとピンチローラとを含み、エンコーダは、キャプスタンローラの軸と同軸上に円板が配設され、円板の回転速度に応じた周期のパルス信号を含むエンコーダ信号を出力するロータリーエンコーダであることが好ましい。【００２２】
本発明の更に他の態様に係るプリンタにおいて、印画媒体は、光量に応じて感光するインスタントフィルムであり、制御部は、入力した画像データに基づいてラインヘッドから発光する発光光量を制御し、インスタントフィルムを感光させることが好ましい。【００２３】
本発明の更に他の態様に係るプリンタ付き撮像装置は、上記のプリンタと、画像データ入力部として機能する撮像部と、を備える。【００２４】
本発明の更に他の態様に係るエンコーダ信号処理方法は、被搬送体の搬送速度を検出するエンコーダから被搬送体の搬送速度に応じた周期のパルス信号を含むエンコーダ信号を入力するステップと、入力したエンコーダ信号からパルス信号が検出される毎に、次のパルス信号を検出する有効検出期間を設定するステップと、設定された有効検出期間内のみエンコーダ信号からパルス信号を検出するステップと、エンコーダ信号から有効検出期間内にパルス信号が検出されない場合、有効検出期間後にパルス信号を生成するパルス信号生成部と、を含む。
【発明の効果】
【００２５】
本発明によれば、エンコーダ信号に混入するノイズ信号の影響を除去することができ、かつエンコーダ信号から本来のパルス信号が欠落する場合も良好に対応することができる。
【図面の簡単な説明】
【００２６】
【図１】図１は本発明に係るプリンタを含むプリントシステムの構成を示す外観図
【図２】図２はプリンタにインスタントフィルムパックを装填する様子を示す図
【図３】図３はインスタントフィルムパックの分解斜視図
【図４】図４はインスタントフィルムを露光面側から見た平面図
【図５】図５はインスタントフィルムを観察面側から見た平面図
【図６】図６はインスタントフィルム及びフィルムカバーの搬送機構を示す斜視図
【図７】図７はインスタントフィルム及びフィルムカバーの搬送機構を示す平面図
【図８】図８はインスタントフィルム及びフィルムカバーの搬送機構の要部正面図
【図９】図９は本発明に係るプリンタの実施形態を示すブロック図
【図１０】図１０はインスタントフィルム及びフィルムカバーの搬送の様子を示す図
【図１１】図１１はインスタントフィルム及びフィルムカバーの搬送の様子を示す他の図
【図１２】図１２はインスタントフィルム及びフィルムカバーの搬送の様子を示す更に他の図
【図１３】図１３はプリンタに設けられたエンコーダ信号処理装置の第１の実施形態を示すブロック図
【図１４】図１４はエンコーダ信号処理装置の処理内容を説明するために用いた各部の信号波形を示す図
【図１５】図１５はインスタントフィルムの搬送速度の一例を示すグラフ
【図１６】図１６は図１５に示したインスタントフィルムの搬送速度を示すグラフの一部拡大図
【図１７】図１７はプリンタ内のエンコーダ信号処理装置の第２の実施形態を示すブロック図
【図１８】図１８はエンコーダ信号のパルス信号に同期して露光する露光ヘッドの露光タイミング及び発光光量の補正（濃度補正）を示す図
【図１９】図１９はプリンタ付きカメラを示す斜視図
【図２０】図２０はプリンタ付きカメラの構成を示すブロック図
【図２１】図２１はエンコーダ信号処理方法を含むプリント方法を示すフローチャート
【発明を実施するための形態】
【００２７】
以下、添付図面を参照しつつ、本発明に係るエンコーダ信号処理装置、プリンタ、プリンタ付き撮像装置、及びエンコーダ信号処理方法の実施形態について説明する。
【００２８】
［プリンタ］
図１は本発明に係るプリンタを含むプリントシステムの構成を示す外観図であり、図１に示すプリントシステム１００は、スマートフォン２００とプリンタ３００とにより構成される。
【００２９】
スマートフォン２００は図示せぬ撮影光学系及び無線通信部を備え、ユーザが撮影光学系を介して撮影した画像の画像データ、及びこの画像データに対する印画指示を無線通信部によりプリンタ３００に送信する。この際、いわゆるテンプレート（文字、数字、記号、及びイラスト等）のデータを合わせて送信し、画像と共に印画してもよい。スマートフォン２００は、撮影及び無線通信が可能なタイプであれば、一般的に用いられているスマートフォンを用いることができる。上述した画像データ、印画指示、及びテンプレート等のデータ管理及び送信は、専用のアプリケーションをスマートフォン２００にインストールして行ってもよい。
【００３０】
プリンタ３００は無線通信が可能であり、無線通信部７５（図９参照；画像データ入力部）によりスマートフォン２００から受信した画像データ、テンプレート（スマートフォン２００から送信された場合）、及び印画指示により、後述する印画媒体としてのインスタントフィルム１０に印画を行う。印画済みのインスタントフィルム１０はプリンタ３００の端部に設けられたフィルム排出口３１１から排出される。プリンタ３００は、図示せぬ操作部及び表示部を備える。
【００３１】
尚、プリンタ３００に画像データを送信する機器は、スマートフォン２００に限らず、無線通信機能を有するデジタルカメラ、情報携帯端末、タブレット端末等でもよい。また、プリンタ３００は、無線通信により画像データを受信する場合に限らず、通信ケーブル又はメモリカード等の記録媒体を介して画像データを受信するようにしてもよい。
【００３２】
＜インスタントフィルムパックの装填＞
図２はプリンタ３００にインスタントフィルムパック１を装填する様子を示す図である。プリンタ３００には装填室３１５が設けられており、この装填室３１５にインスタントフィルムパック１が装填される。装填室３１５には開閉可能な蓋部材３０２が設けられており、ユーザはインスタントフィルムパック１の装填後に蓋部材３０２を閉じる。蓋部材３０２には図示せぬバネにより付勢された押し上げ部材３０４が設けられており、インスタントフィルムパック１が装填室３１５に装填されて蓋部材３０２が閉じられると、押し上げ部材３０４がインスタントフィルムパック１の背面に設けられた押し上げ部材挿入部３３に挿入されて遮光シート５０（図３参照）を前面側（押し上げ部材挿入部３３の開口面と反対側）に押し上げ、インスタントフィルム１０をケース２０の内面に押し当てる。
【００３３】
＜インスタントフィルムパックの構成＞
図３はインスタントフィルムパック１の分解斜視図である。インスタントフィルムパック１は、インスタントフィルム１０と、インスタントフィルム１０を収容するケース２０（図２参照）と、遮光シート５０と、フィルムカバー６０と、を備えて構成される。ケース２０は、ケース本体２２と、ケース本体２２の背面を塞ぐケース蓋２４とで構成される。
【００３４】
＜ケース本体＞
ケース本体２２は、背面部が開放された平たい矩形の箱形状である。ケース本体２２には、インスタントフィルム１０の露光量域を露光させるための露光開口部２６、インスタントフィルム１０を排出するための排出口２８、排出口２８を遮光するためのケースフラップ材２９、及びクロー部材７２（図９乃至図１２参照）を挿入するためのクロー開口部３２が備えられる。露光開口部２６は、インスタントフィルム１０の露光部１２（図４参照）の形状に対応した形状を有する。露光開口部２６は、ケース２０に収納されたインスタントフィルム１０の露光部１２が露呈する位置に配置される。
【００３５】
排出口２８はケース本体２２の天面部に設けられ、インスタントフィルム１０が通過できるサイズのスリット形状を有する。排出口２８は、積層方向の最上位に位置するインスタントフィルム１０を排出できる位置に配置される。
【００３６】
ケースフラップ材２９は矩形状のフィルム片により構成され、片側の長辺に沿ってケース本体２２に接着されることにより、排出口２８を開閉可能に遮蔽する。
【００３７】
クロー開口部３２は、図６に示すように、ケース本体２２の正面部分２２ａ及び底面部２２ｃに備えられる。クロー開口部３２は、スリット形状を有し、底面部２２ｃを基点として、正面部分２２ａに直線状に配置される。ケース本体２２の底面部２２ｃには、図６に示すように、クロー開口部３２の一部を構成する切欠き状の入口部３２ａが備えられる。ケース本体２２の正面部分２２ａには、クロー開口部３２の一部を構成するスリット状の通路部３２ｂが備えられる。通路部３２ｂは、インスタントフィルム１０の搬送方向Ｆに沿って直線状に配置される。通路部３２ｂの終点は、露光開口部２６とされる。すなわち、クロー開口部３２は、ケース本体２２の底面部２２ｃと露光開口部２６とを直線状に繋ぐ形で配置される。クロー開口部３２の幅は、クロー部材７２を挿入できる幅とされる。
【００３８】
＜ケース蓋＞
ケース蓋２４は矩形の板形状を有し、ケース本体２２の背面部に装着されて、解放されたケース本体２２の背面を塞ぐ。ケース蓋２４には、一対の押し上げ部材挿入部３３、一対のフィルム支持部３１、及び一対の遮光シート取付部４２が備えられる。押し上げ部材挿入部３３は、上述した押し上げ部材３０４（図２参照）を挿入するための開口部である。フィルム支持部３１は、ケース２０に収容されたインスタントフィルムパック１を指示する支持部である。フィルム支持部３１は円弧状の薄板により構成され、ケース蓋２４の両側の長辺に沿ってケース蓋２４の内側に配置される。ケース２０に収容されたインスタントフィルム１０は、このフィルム支持部３１によって凸状に支持される。遮光シート取付部４２は、遮光シート５０の取付部である。遮光シート取付部４２は円柱状のピンにより構成され、ケース蓋２４の中央部分に並列して配置される。
【００３９】
＜遮光シート＞
遮光シート５０は、ケース２０内でインスタントフィルム１０を支持し、かつ、遮光する。遮光シート５０は、板バネとしての機能を有する第１遮光シート５３と、支持板としての機能を有する第２遮光シート５４とを組み合わせて構成される。第１遮光シート５３及び第２遮光シート５４を一体化した遮光シート５０は、第１遮光シート５３の固定部５３ｂをケース蓋２４の遮光シート取付部４２に差し込み、更に差し込んだ部位を接着することにより、ケース蓋２４に取り付けられる。ケース蓋２４に取り付けられた遮光シート５０は、一対のフィルム支持部３１の間に配置される。
【００４０】
上述のように、インスタントフィルムパック１が装填室３１５に装填され蓋部材３０２が閉じられると、押し上げ部材挿入部３３に押し上げ部材３０４が挿入される。遮光シート５０は、押し上げ部材挿入部３３に挿入された押し上げ部材３０４に押されて、インスタントフィルム１０をケース２０の内面に押し当てる。この際、第１遮光シート５３が弾性変形してインスタントフィルム１０を弾性的に押圧し、ケース２０の内面に押し当てる。
【００４１】
＜フィルムカバー＞
フィルムカバー６０は、露光開口部２６からの光を遮光する。フィルムカバー６０は、図３に示すように、積層されたインスタントフィルム１０の最上位に重ねて配置されて、ケース２０に収容される。フィルムカバー６０には、切欠き部６２、及び、フィルムカバースカート材６４が備えられる。切欠き部６２は、スリット形状を有し、フィルムカバー６０の後端部に備えられる。切欠き部６２は、フィルムカバー６０の送り方向に沿って配置される。切欠き部６２を配置する位置は、クロー開口部３２と同じ位置に設定される。これにより、フィルムカバー６０をケース２０に収容すると、クロー開口部３２に連なるように切欠き部６２が配置される。切欠き部６２は、クロー開口部３２と同じ幅を有する。尚、「同じ幅」には、ほぼ同じ幅が含まれる。
【００４２】
フィルムカバースカート材６４は遮光部材の一例であり、フィルムカバー６０に取り付けられて、クロー開口部３２及び切欠き部６２からの光を遮光する。フィルムカバースカート材６４は、矩形状のシート片により構成される。フィルムカバースカート材６４は、フィルムカバー６０の背面部に取り付けられて、切欠き部６２を遮蔽する。この際、一部がフィルムカバー６０からはみ出して取り付けられる。はみ出した部分は、クロー開口部３２の入口部３２ａを遮蔽するためのスカート部として機能する。フィルムカバー６０をケース２０に収容すると、クロー開口部３２の入口部３２ａがスカート部で遮蔽され、入口部３２ａからの光が遮光される。
【００４３】
フィルムカバースカート材６４は、接着によりフィルムカバー６０に取り付けられる。また、ケース２０に装着されたフィルムカバー６０は、フィルムカバースカート材６４のスカート部がケース２０の内面に接着されて固定される。フィルムカバースカート材６４は、クロー部材７２がフィルムカバー６０の搬送を開始するとフィルムカバー６０と共に移動し、排出口２８から排出される。
【００４４】
＜インスタントフィルム＞
インスタントフィルム１０は、公知の自己現像型のインスタントフィルムであり、矩形のカード形状を有する。図４，５に示すように、インスタントフィルム１０は、一方側の面が露光面（感光シート）１０ａ、他方側の面が観察面（カバーシート）１０ｂとして構成される。本例のインスタントフィルム１０は、入射する３原色（赤、緑、および青）の光量が大きい程、赤、緑、および青のそれぞれの濃度が明るくなるポジ感剤である。
【００４５】
図４は、インスタントフィルムを露光面１０ａ側から見た平面図である。同図において、矢印を用いて示す方向が、インスタントフィルム１０の送り方向（搬送方向Ｆ）である。送り方向とは、インスタントフィルム１０の使用方向と同義である。インスタントフィルム１０をケース２０に収容した場合には、インスタントフィルム１０の送り方向がインスタントフィルム１０の排出方向となる。露光面１０ａには、露光部１２、ポッド部１４、及び、トラップ部１６が備えられる。露光部１２は、露光領域であり、矩形状の領域として、ポッド部１４とトラップ部１６との間に配置される。ポッド部１４は、インスタントフィルム１０の送り方向の先端側に配置される。ポッド部１４には、現像処理液を内包した現像処理液ポッド１４ａが内蔵される。トラップ部１６は、インスタントフィルム１０の送り方向の後端側に配置される。トラップ部１６には、吸収材１６ａが内蔵される。
【００４６】
図５は、インスタントフィルムを観察面１０ｂ側から見た平面図である。図５において、矢印を用いて示す方向が、インスタントフィルム１０の送り方向（搬送方向Ｆ）である。観察面１０ｂには、撮影した画像の観察領域となる観察部１８が備えられる。観察部１８は、露光面側の露光部１２に対応して配置される。
【００４７】
インスタントフィルム１０は、露光後、ポッド部１４の現像処理液を露光部１２に展開させることにより現像処理される。インスタントフィルム１０は、一対の展開ローラ４０（図６乃至図８を参照）の間を通されることにより、ポッド部１４の現像処理液が絞り出され、露光部１２に展開される。この際、余剰の現像処理時がトラップ部１６で捕捉される。
【００４８】
＜インスタントフィルムパックの組み立て＞
インスタントフィルムパック１は、フィルムカバー６０及びインスタントフィルム１０をケース本体２２に収容し、ケース蓋２４でケース本体２２の背面を閉じることにより組み立てられる。この際、まず、フィルムカバー６０をケース本体２２に収容する。そして、フィルムカバースカート材６４のスカート部をケース２０の内面に接着する。これにより、露光開口部２６及びクロー開口部３２がフィルムカバー６０によって遮蔽される。この後、インスタントフィルム１０を積層した状態でケース本体２２に収容する。インスタントフィルム１０は、露光面１０ａ（図４参照）を上にして積層する。そして、露光面１０ａを露光開口部２６の側に向けてケース本体２２に収容する。これにより、最上位に位置するインスタントフィルム１０の露光面１０ａの上にフィルムカバー６０が載置された状態でフィルムカバー６０及びインスタントフィルム１０がケース本体２２に収容される。この後、ケース本体２２の背面をケース蓋２４で閉じる。以上によりインスタントフィルムパック１の組み立てが完了する。
【００４９】
＜インスタントフィルムパックの使用形態＞
インスタントフィルムパック１は、フィルムカバー６０を取り外して使用する形態、及びフィルムカバー６０を取り外さずに使用する形態の双方が可能であるが、本実施形態のプリンタ３００では、インスタントフィルムパック１をプリンタ３００に装填後、フィルムカバー６０を取り外して（排出して）使用する。この場合、インスタントフィルム１０はケース２０から搬送された後に露光ヘッド２５（図６及び図７を参照）により露光され、展開ローラ４０（図６及び図７を参照）により現像液の展開が行われて印画される。搬送及び露光（印画）は、ケース内で最上位に位置するインスタントフィルム１０から下位に位置するインスタントフィルム１０に対して順次行われる。フィルムカバー６０及びインスタントフィルム１０の搬送、排出、及び露光については後述する。
【００５０】
＜プリンタの主要構成＞
次に、プリンタ３００における、フィルムカバー６０及びインスタントフィルム１０の搬送、排出、及び露光に関わる主要構成部品の配置を説明する。図６は搬送、排出、及び露光に関する部品の配置を示す斜視図であり、図７は図６に示す状態の上面図である。図６及び図７では説明の対象としない部品は適宜図示を省略しており、また部品の形状、寸法、及び配置は適宜簡略化して図示している。また、プリンタ３００の制御系の概略構成を図９に示す。
【００５１】
図６及び図７に示すように、インスタントフィルムパック１の搬送方向Ｆにおける下流側には、フィルム検出センサ２７、露光ヘッド２５（ラインヘッド）、キャプスタンローラ３５（搬送部）及びピンチローラ３９（搬送部）、及び一対の展開ローラ４０（ローラ４０ａ，ローラ４０ｂ）（搬送部）が上流側から下流側に向かってこの順に配置されている。それぞれの位置は固定されている。
【００５２】
＜フィルム検出センサ＞
フィルム検出センサ２７はインスタントフィルム１０の位置検出用のセンサであり、フォトインタラプタ型あるいは反射検出型のセンサを用いることができる。フィルム検出センサ２７がフィルムカバー６０またはインスタントフィルム１０を検出すると、システムコントローラ４５（制御部）は、エンコーダ信号処理装置５２により検出されたパルス信号のカウントを開始する。このパルス信号のカウント数により、フィルムカバー６０またはインスタントフィルム１０の位置を知ることができる。このようにして検出したフィルムカバー６０またはインスタントフィルム１０の位置は、露光開始タイミングの制御や、クロー部材７２からキャプスタンローラ３５へのインスタントフィルム１０の受け渡しの際の搬送速度制御に用いられる。
【００５３】
＜露光ヘッド及び露光ヘッド駆動部＞
露光ヘッド２５はライン型の露光ヘッドであり、長手方向がフィルムカバー６０及びインスタントフィルム１０の搬送方向Ｆと直交する方向に配置されている。露光ヘッド２５の内部には赤色、緑色、及び青色を画素単位で発色する微小なＬＥＤ（Light-Emitting Diode）を長手方向に並べたＬＥＤアレイ（不図示）が設けられており、各色のＬＥＤアレイからの光はその前面に配されたマイクロレンズアレイ（不図示）を透過してインスタントフィルム１０の同一ライン上に照射される。従って、インスタントフィルム１０にはライン毎に三色同時に露光が行われ、露光ヘッド２５による１回の露光により１ライン分のライン画像に対応する露光が行われる。
【００５４】
露光ヘッド駆動部７３（図９参照；制御部）は、スマートフォン２００から受信した画像データに基づいて露光ヘッド２５を駆動する。この際、露光ヘッド駆動部７３は、後述するようにロータリーエンコーダ３６が出力するエンコーダ信号（パルス信号）に基づいて、露光ヘッド２５によるライン画像の露光タイミング等を制御する。
【００５５】
プリンタ３００では、上述した構成の露光ヘッド２５及び露光ヘッド駆動部７３により、キャプスタンローラ３５及びピンチローラ３９によって搬送されるインスタントフィルム１０の露光面１０ａに１ラインずつプリント光を照射して、インスタントフィルム１０に画像を印画する。尚、プリンタ３００が上述したテンプレートのデータをスマートフォン２００から受信している場合は、受信したテンプレートを画像と併せてインスタントフィルム１０に印画する。
【００５６】
＜キャプスタンローラ＞
キャプスタンローラ３５は、キャプスタンローラ駆動部３４に設けられた減速ギヤ列（不図示）を介してＤＣ（Direct-Current）モータ３０に接続されており（図９参照）、インスタントフィルム１０の露光面１０ａ側に組み込まれる。図７に示すように、キャプスタンローラ３５は、露光ヘッド２５の発光部の近傍に配置されている。キャプスタンローラ３５の端部にはフィルムカバー６０及びインスタントフィルム１０の端部を把持するための一対の円盤状のローラ３５ａおよび３５ｂが配置されており、ローラ３５ａおよび３５ｂは、ローラ表面の多数の微小突起３５ｃによりインスタントフィルム１０の端部を確実に把持する。
【００５７】
＜ロータリーエンコーダ＞
また、図６乃至図８に示すように、キャプスタンローラ３５の回転軸と同軸上に光学式のロータリーエンコーダ（エンコーダ）３６を構成する回転スリット板（円板）３７が配設されており、回転スリット板３７を挟んで、発光ダイオード等からなる発光素子と、フォトダイオード等の受光素子とを含む検出部３８が固定されている。
【００５８】
本例の回転スリット板３７には、その周囲にスリット幅が１００μｍ、スリット間のピッチが２００μｍのスリット３７ａ（図６）が２００個形成されている。
【００５９】
キャプスタンローラ３５の回転軸の回転に伴って回転スリット板３７が回転すると、回転スリット板３７に形成されたスリット３７ａが発光素子と受光素子との間を通過する毎に、発光素子から回転スリット板３７により照射された光が、スリット３７ａを透過して受光素子に入射し、受光素子からは入射光量に応じた電気信号が出力される。従って、ロータリーエンコーダ３６の検出部３８からは、検出部３８を通過するスリット３７ａの周期と同じ周期の電気信号（三角波状の電気信号）が出力される。
【００６０】
本例のロータリーエンコーダ３６は、検出部３８から出力される三角波状の電気信号を増幅し、かつ矩形波（パルス信号）に波形整形するコンパレータを有し、回転スリット板３７（キャプスタンローラ３５）の回転速度（インスタントフィルム１０の搬送速度）に応じた周期のパルス信号を含むエンコーダ信号を出力する。
【００６１】
エンコーダ信号処理装置５２は、ロータリーエンコーダ３６からエンコーダ信号を入力し、エンコーダ信号に含まれるパルス信号（パルス信号の立ち上がり、及び／又は立ち下がり）を検出し、検出したパルス信号をシステムコントローラ（制御部）４５に出力する。尚、エンコーダ信号処理装置５２は、エンコーダ信号に含まれるノイズ信号の除去及び欠落したパルス信号の生成等を行う機能を有するが、その詳細については後述する。
【００６２】
システムコントローラ４５は、エンコーダ信号処理装置５２から入力するパルス信号に同期して、後述するように露光ヘッド２５によるライン画像の印画タイミング（露光タイミング）を制御する。
【００６３】
＜ピンチローラ＞
ピンチローラ３９は、例えば硬質ウレタンのような弾性のある材質により形成されており、キャプスタンローラ３５に対向して配置されている。また、ピンチローラ３９はキャプスタンローラ３５に従動して回転する。このピンチローラ３９には、両端部に図示せぬコイルバネが接続されており、このコイルバネの付勢により通常はキャプスタンローラ３５に当接している。このピンチローラ３９とキャプスタンローラ３５とでインスタントフィルム１０を挟持しながら回転することにより（図８参照）、インスタントフィルム１０を展開ローラ４０へ搬送することができる。
【００６４】
＜展開ローラ＞
図６に示すように、展開ローラ４０は２本を１組として構成され、これらを対向して配置したものである。この展開ローラ４０は例えば金属部材から形成されており、キャプスタンローラ３５の直径と同じ直径で形成されている。この１組の展開ローラ４０のうちの一方のローラ４０ａは、キャプスタンローラ３５と同じ側に配置されており、展開ローラ駆動部４１の不図示の減速ギヤ及びトルクリミッタを介してＤＣモータ３０に接続されている（図９参照）。トルクリミッタを組み込むことによって、展開ローラ４０で発生するトルクが設定トルク以上になった場合、展開ローラ４０で発生するトルクを規制することができる。また、ローラ４０ａに対向するローラ４０ｂは、ピンチローラ３９と同様に両端にコイルバネ（不図示）が接続され、その付勢力によりインスタントフィルム１０を挟み込んで固定側のローラ４０ａに従動して回転する。この展開ローラ４０は、インスタントフィルム１０に設けられたポッド部１４を挟持して破砕する（図８参照）と共に、現像処理液をインスタントフィルム１０の内部の感光層に展開させる。
【００６５】
＜フィルムカバー及びインスタントフィルムの搬送＞
システムコントローラ４５は、未使用のインスタントフィルムパック１がプリンタ３００に装填されると、未使用のインスタントフィルムパック１の装填を検出して自動的にフィルムカバー６０を搬送（排出）するために、モータドライバ４６を介してＤＣモータ３０（搬送部）を駆動制御し、また、スマートフォン２００から画像データ及び印画指示を受信すると、未露光のインスタントフィルム１０を搬送しながら露光し、現像及び展開を行うために、モータドライバ４６を介してＤＣモータ３０を駆動制御する。
【００６６】
尚、モータドライバ４６には、図示しないバッテリー又はＡＣ（alternating current）アダプタから直流電源が供給されており、モータドライバ４６は、システムコントローラ４５から入力する駆動指令に基づいて所定の電圧の駆動電力をＤＣモータ３０に供給する。本例では、フィルムカバー６０及びインスタントフィルム１０の搬送中、ＤＣモータ３０にはモータドライバ４６から一定の電圧が加えられるようになっており、速度フィードバック等の速度制御等は行われておらず、安価な搬送装置となっている。
【００６７】
また、システムコントローラ４５は露光制御部４７及びラインメモリ４８に信号を送出する。ＤＣモータ３０の駆動によりクロー駆動部７１が作動し、クロー部材７２がインスタントフィルムパック１に形成されたクロー開口部３２から侵入して、最上層のフィルムカバー６０またはインスタントフィルム１０の後端に係止される（図１０参照）。そしてフィルムカバー６０またはインスタントフィルム１０の先端を排出口２８から搬送方向Ｆに送り出す。また、ＤＣモータ３０の駆動によりキャプスタンローラ３５が回転を開始し、ピンチローラ３９はキャプスタンローラ３５の回転に従動して回転する。
【００６８】
フィルムカバー６０またはインスタントフィルム１０は、クロー部材７２が移動するのにつれて搬送方向Ｆに移動する。フィルムカバー６０またはインスタントフィルム１０がフィルム検出センサ２７の位置に到達すると、フィルム検出センサ２７がフィルムカバー６０またはインスタントフィルム１０を検出し、これによりシステムコントローラ４５は、エンコーダ信号処理装置５２から入力するパルス信号のカウントを開始する。このパルス信号のカウント数に基づいて露光及び搬送が制御される。
【００６９】
クロー部材７２は図１０に示す状態から移動を継続し、フィルムカバー６０またはインスタントフィルム１０をキャプスタンローラ３５及びピンチローラ３９の間に送り込む（図１１参照）。これによりフィルムカバー６０またはインスタントフィルム１０はキャプスタンローラ３５及びピンチローラ３９の間に食い込み始め、クロー部材７２からキャプスタンローラ３５及びピンチローラ３９への受け渡しが始まる。受け渡しが行われている間は、フィルムカバー６０またはインスタントフィルム１０はクロー部材７２に加えて、キャプスタンローラ３５及びピンチローラ３９により搬送される。
【００７０】
搬送が継続されて、クロー部材７２が移動範囲の端に到達した状態では（図１２参照）、フィルムカバー６０またはインスタントフィルム１０はキャプスタンローラ３５及びピンチローラ３９の間に完全に食い込んだ状態になる。これによりフィルムカバー６０またはインスタントフィルム１０の受け渡しが終了し、クロー部材７２は搬送方向Ｆと反対方向に退避を開始する。受け渡し後は、引き続いてキャプスタンローラ３５及びピンチローラ３９により搬送が行われる。
【００７１】
上述した搬送において、クロー部材７２の移動範囲（図１０に示す位置と図１２に示す位置との距離）及び移動速度は、ＤＣモータ３０の回転速度の他、クロー駆動部７１にギヤ、カム部材、及びリンク部材等（不図示）を用いることによって設定することができる。同様に、キャプスタンローラ３５の回転速度も、ＤＣモータ３０の回転速度の他、キャプスタンローラ駆動部３４にギヤ等（不図示）を用いることによって設定することができる。
【００７２】
［エンコーダ信号処理装置］
次に、プリンタに設けられたエンコーダ信号処理装置の詳細について説明する。
【００７３】
図１３は、プリンタ３００に設けられたエンコーダ信号処理装置５２（図９）の第１の実施形態を示すブロック図である。
【００７４】
図１３に示すようにエンコーダ信号処理装置５２は、主としてエンコーダ信号入力部５２１、パルス信号検出部５２２、有効検出期間設定部５２３、パルス信号生成部５２４、及びパルス信号合成部５２５から構成されている。エンコーダ信号処理装置５２は、デジタル回路により構成してもよいし、プリンタ３００内の１又は複数のＣＰＵ（Central Processing Unit）及びエンコーダ信号処理用のソフトウェア等により構成してもよい。
【００７５】
ロータリーエンコーダ３６は、回転スリット板３７（キャプスタンローラ３５）の回転速度（インスタントフィルム１０の搬送速度）に応じた周期のパルス信号を含むエンコーダ信号を出力する。前述したように本来の回転スリット板３７の周囲には、２００個のスリット３７ａ（図６）が形成されているため、ロータリーエンコーダ３６は、キャプスタンローラ３５が１．８度回転する毎に１個のパルス信号を発生する。また、本例の回転スリット板３７に形成されているスリット３７ａのスリット幅は１００μｍであるため、１００μｍ以上のサイズのゴミがスリット３７ａに付着すると、ゴミが付着したスリット３７ａに対応するパルス信号が欠落する。
【００７６】
図１３において、エンコーダ信号入力部５２１には、ロータリーエンコーダ３６から上記のエンコーダ信号が入力される。
【００７７】
図１４にエンコーダ信号の波形の一例を示す。同図に示すエンコーダ信号には、回転スリット板３７のスリット３７ａに対応する発生する矩形のパルス信号Ａと、エンコーダ信号に混入したノイズ信号Ｂとが含まれている。また、エンコーダ信号中の一点鎖線を用いて示した部分Ｃは、回転スリット板３７のスリット３７ａに付着したゴミにより欠落したパルス信号の発生位置を示している。
【００７８】
パルス信号検出部５２２は、エンコーダ信号入力部５２１に入力したエンコーダ信号からパルス信号Ａを検出する部分であり、有効検出期間設定部５２３により設定された有効検出期間内のみパルス信号Ａ（本例では、エンコーダ信号に含まれる信号の立ち上がり時点）を検出する。
【００７９】
有効検出期間設定部５２３は、パルス信号検出部５２２によりパルス信号が検出される毎に、次のパルス信号を検出する有効検出期間を設定する。
【００８０】
図１４において、パルス信号検出部５２２によりエンコーダ信号から時刻ｔ０にパルス信号が検出された場合、有効検出期間設定部５２３は、パルス信号が検出された時刻ｔ０と、検出された最新の複数のパルス信号から取得した周期Ｔ１と、インスタントフィルム１０の搬送速度の変動幅とに基づいて有効検出期間を設定する。
【００８１】
図１５は、インスタントフィルム１０の搬送速度の一例を示すグラフである。図１５において、  Ｖ０、ΔＶ、およびｘ０〜ｘ４は、以下の通りである。
【００８２】
Ｖ０：インスタントフィルム１０が基準の搬送速度 
ΔＶ：インスタントフィルム１０の搬送速度の変動幅（最大変動幅）
ｘ０：インスタントフィルム１０の先端がキャプスタンローラ３５とピンチローラ３９との間に食い込む時点のインスタントフィルム１０の位置
ｘ１：インスタントフィルム１０への露光が開始するインスタントフィルム１０の先端位置
ｘ２：インスタントフィルム１０のポッド部１４が一対の展開ローラ４０に到達する位置
ｘ３：インスタントフィルム１０のポッド部１４が一対の展開ローラ４０に通過する位置
ｘ４：インスタントフィルム１０への露光が終了するインスタントフィルム１０の先端位置
図１５に示すようにインスタントフィルム１０は、ＤＣモータ３０に供給される一定の電圧により、通常、一定の電圧に対応する基準の搬送速度Ｖ０で搬送されるが、インスタントフィルム１０の先端がキャプスタンローラ３５とピンチローラ３９との間に食い込むとき、及びインスタントフィルム１０のポッド部１４が一対の展開ローラ４０により潰されるときに負荷が加わり、インスタントフィルム１０の搬送速度Ｖは、これらの負荷に応じて基準の搬送速度Ｖ０よりも遅くなり、また、負荷が軽減されたときに基準の搬送速度Ｖ０よりも僅かに速くなる（オーバーシュートする）。
【００８３】
ロータリーエンコーダ３６から出力されるエンコーダ信号に含まれるパルス信号Ａの周期は、ロータリーエンコーダ３６の回転スリット板３７（キャプスタンローラ３５）の回転速度（即ち、キャプスタンローラ３５により搬送されるインスタントフィルム１０の搬送速度Ｖ）に応じて変動し得るが、インスタントフィルム１０の搬送速度Ｖは急激には変化せず、また、インスタントフィルム１０の搬送速度Ｖの最大の変動幅ΔＶは、既知である。
【００８４】
従って、図１４に示すようにパルス信号検出部５２２によりエンコーダ信号から時刻ｔ０にパルス信号が検出された場合、有効検出期間設定部５２３は、パルス信号が検出された時刻ｔ０から周期Ｔ１後の時刻ｔ２の、前後の時刻ｔ１と時刻ｔ３との間の期間（有効検出期間）Δｔを設定する。また、有効検出期間Δｔの時間幅は、インスタントフィルム１０の搬送速度Ｖの最大の変動幅ΔＶに基づいて決定することが好ましく、インスタントフィルム１０の搬送速度Ｖの変化が最大の場合でも、パルス信号Ａの立ち上がり時点を検出することができる最小の時間幅であることがより好ましい。
【００８５】
また、有効検出期間設定部５２３は、パルス信号検出部５２２により検出された最新の複数のパルス信号から、現在のインスタントフィルム１０の搬送速度Ｖに対応する周期Ｔ１を取得する。
【００８６】
図１６は、図１５に示したインスタントフィルムの搬送速度を示すグラフの一部拡大図である。尚、図１６において、グラフ上の黒丸は、エンコーダ信号からパルス信号が検出された時点を示す。
【００８７】
図１６において、インスタントフィルム１０への任意の露光タイミングに対応するパルス信号が検出された時点をｔｉとすると、次のパルス信号を検出するために使用するパルス信号の周期Ｔは、露光タイミング前の複数のパルス信号（露光タイミングに対応するパルス信号を含む）の各検出時点（ｔｉ−３，ｔｉ−２，ｔｉ−１，ｔｉ）の時間差に基づいて算出する。
【００８８】
図１６に示す例では、４つのパルス信号の検出時点（ｔｉ−３，ｔｉ−２，ｔｉ−１，ｔｉ）から３つの周期を算出することができるため、次のパルス信号を検出するために使用するパルス信号の周期Ｔは、３つの周期の平均を使用している。
【００８９】
尚、露光タイミング前の複数のパルス信号の数は、上記の実施形態に限定されず、２つのパルス信号から１つの周期を求めてもよいし、３以上のパルス信号から得られる２以上の周期の平均の周期を求めてもよい。
【００９０】
図１３に戻って、前述したようにパルス信号検出部５２２は、入力するエンコーダ信号から有効検出期間設定部５２３により設定された有効検出期間内のみパルス信号を検出し、図１４に示すように時刻ｔ０にパルス信号（エンコーダ信号の立ち上がり）が検出されると、時刻ｔ１から時刻ｔ３の有効検出期間Δｔのみ次のパルス信号の検出を行う。
【００９１】
これにより、有効検出期間Δｔ以外の期間にノイズ信号Ｂが混入してもノイズ信号が誤ってパルス信号として検出されることがなく、ノイズ信号Ｂを実質的に除去することができる。
【００９２】
また、パルス信号検出部５２２は、有効検出期間設定部５２３により設定された有効検出期間内において、最初のパルス信号（エンコーダ信号の最初の立ち上がり）のみを検出する。これにより、有効検出期間内にノイズ信号が混入する場合でも、１つのパルス信号を検出することができる。尚、有効検出期間内において、最初の検出されたパルス信号がノイズ信号に起因するものであっても、有効検出期間内に検出されたパルス信号であるため、そのパルス信号を後段の処理に使用する場合に支障がない。
【００９３】
図１４に示すように有効検出期間設定部５２３は、パルス信号検出部５２２が時刻ｔ２にてパルス信号を検出すると、時刻ｔ２を基準にして次のパルス信号を検出するための有効検出期間を設定する。
【００９４】
図１４に示す例では、最新のパルス信号の周期Ｔ２と有効検出期間Δｔの時間幅とにより、時刻ｔ４から時刻ｔ６までの有効検出期間Δｔが設定されるが、この有効検出期間Δｔ内には、エンコーダ信号の立ち上がりがなく（本来、一点鎖線を用いて示した部分Ｃに発生すべき矩形のパルス信号が欠落しており）、パルス信号検出部５２２は、時刻ｔ４から時刻ｔ６までの有効検出期間Δｔ内のパルス信号を検出することができない。
【００９５】
図１３に示すパルス信号生成部５２４には、パルス信号検出部５２２により検出されたパルス信号（エンコーダ信号の立ち上がりに同期したパルス信号）と、有効検出期間設定部５２３により設定された有効検出期間を示す情報とが加えられており、パルス信号生成部５２４は、有効検出期間内にパルス信号検出部５２２からパルス信号を入力しない場合、有効検出期間後にパルス信号を生成し、生成したパルス信号を出力する。図１４に示す例では、パルス信号生成部５２４は、時刻ｔ４から時刻ｔ６の有効検出期間Δｔの直後（時刻ｔ６）に、生成したパルス信号を出力する。
【００９６】
また、上記のようにパルス信号生成部５２４により時刻ｔ４から時刻ｔ６の有効検出期間Δｔにパルス信号が検出されない場合、有効検出期間設定部５２３は、パルス信号検出部５２２によりパルス信号が検出された時刻ｔ２を基準にして、次のパルス信号を検出するための有効検出期間を設定する。この場合、周期Ｔ２の２倍の周期（２Ｔ２）と有効検出期間Δｔの時間幅とにより、時刻ｔ７から時刻ｔ９までの有効検出期間Δｔを設定する。
【００９７】
パルス信号合成部５２５は、パルス信号検出部５２２により検出されたパルス信号と、パルス信号生成部５２４により生成されたパルス信号とを合成し、合成したパルス信号をシステムコントローラ４５に出力する。
【００９８】
これにより、エンコーダ信号処理装置５２は、ノイズ信号の影響を除去することができ、かつ回転スリット板３７のスリット３７ａに付着するゴミによりエンコーダ信号から本来のパルス信号が欠落する場合でも良好なパルス信号（インスタントフィルム１０の搬送速度に応じた周期のパルス信号）を出力することができる。
【００９９】
図１７は、プリンタ３００に適用可能なエンコーダ信号処理装置の第２の実施形態を示すブロック図である。尚、図１３に示した第１の実施形態のエンコーダ信号処理装置５２と共通する部分には同一の符号を付し、その詳細な説明は省略する。
【０１００】
図１７に示す第２の実施形態のエンコーダ信号処理装置５２−２は、パルス信号検出部５２２とパルス信号合成部５２５との間に遅延回路５２６が追加されている点で、第１の実施形態のエンコーダ信号処理装置５２と相違する。
【０１０１】
遅延回路５２６は、パルス信号検出部５２２により検出されたパルス信号を入力し、入力したパルス信号を一定時間だけ遅延させて出力する。遅延回路５２６により遅延させる一定時間は、有効検出期間設定部５２３により設定される有効検出期間に対応する時間であることが好ましい。
【０１０２】
図１４に示したようにパルス信号検出部５２２により有効検出期間内にパルス信号が検出されない場合、パルス信号生成部５２４は、その有効検出期間の直後（時刻ｔ６）にパルス信号を生成（出力）する。
【０１０３】
一方、エンコーダ信号からパルス信号が欠落していない場合であって、インスタントフィルム１０の搬送速度が変化していない場合には、前回、パルス信号が検出された時刻ｔ２から周期Ｔ２後の時刻ｔ５にパルス信号が検出されることになる。
【０１０４】
従って、パルス信号生成部５２４により生成（出力）されるパルス信号は、本来、パルス信号検出部５２２により検出されるべきパルス信号に比べて遅れて出力され、図１４に示す例では、時刻ｔ６−時刻ｔ５の差分だけ遅延して出力される。
【０１０５】
遅延回路５２６は、パルス信号生成部５２４から出力されるパルス信号の上記の遅延分だけ、パルス信号検出部５２２から出力されるパルス信号を遅延させる。
【０１０６】
これにより、パルス信号生成部５２４からパルス信号が出力される場合、パルス信号合成部５２５により合成される各パルス信号の周期を均一化すること（インスタントフィルム１０の搬送速度をより忠実に反映した周期にすること）ができる。
【０１０７】
［露光制御］
図９に示すようにシステムコントローラ４５は、エンコーダ信号処理装置５２から入力するパルス信号に同期して露光ヘッド駆動部７３を駆動し、これにより露光ヘッド２５の露光タイミングを制御し、かつ、露光制御部４７（制御部）、ラインメモリ４８、及び露光ヘッド駆動部７３を通じて露光ヘッド２５から発光される赤色、緑色、及び青色の各色の発光光量を制御する。
【０１０８】
システムコントローラ４５は、無線通信部７５を介して受信した画像データのうちの１ライン分の赤色、緑色、及び青色の画像データを順次ラインメモリ４８に供給し、ラインメモリ４８に１ライン分の赤色、緑色、及び青色の画像データを一時保持させる。
【０１０９】
また、システムコントローラ４５は、エンコーダ信号処理装置５２から入力するパルス信号に基づいてインスタントフィルム１０の現在の搬送速度を求め、求めた搬送速度を示す搬送速度信号を露光制御部４７に出力する。
【０１１０】
ここで、インスタントフィルム１０の搬送速度は、図１６を用いて説明したように露光タイミング前の複数のパルス信号から得られる周期（２以上の周期を取得した場合にはその平均の周期）により求めることができる。
【０１１１】
露光制御部４７は、濃度補正部４７ａを含み、露光ヘッド２５の各ＬＥＤから発光される発光光量が、画像データの各画素値（例えば、０〜２５５）に対応する発光光量になるように、露光ヘッド２５にＰＷＭ（Pulse Width Modulation）信号を出力するが、濃度補正部４７ａによりパルス幅を補正したＰＷＭ信号を出力する。
【０１１２】
即ち、露光制御部４７は、ラインメモリ４８に一時的に保持された１ライン分の赤色、緑色、及び青色の画像データに基づいて画像データの各画素値をパルス幅変調したＰＷＭ信号を生成する。
【０１１３】
濃度補正部４７ａは、インスタントフィルム１０の搬送速度にかかわらず、インスタントフィルムに印画される画像の濃度が、インスタントフィルム１０が基準の搬送速度（図１５に示した基準の搬送速度Ｖ０）で搬送される場合と同様の濃度になるように補正する部分であり、生成されたＰＷＭ信号のパルス幅を、システムコントローラ４５から入力するインスタントフィルム１０の現在の搬送速度を示す搬送速度信号に基づいて補正する。
【０１１４】
濃度補正部４７ａによるＰＷＭ信号のパルス幅の補正は、インスタントフィルム１０の搬送速度が、基準の搬送速度Ｖ０と比較して遅い場合には露光ヘッド２５の発光時間が短くなるように補正し、速い場合には露光ヘッド２５の発光時間が長くなるように補正する。
【０１１５】
濃度補正部４７ａにより補正されたＰＷＭ信号は、露光ヘッド駆動部７３に出力される。
【０１１６】
露光ヘッド駆動部７３の他の入力には、システムコントローラ４５からエンコーダ信号のパルス信号に同期した露光タイミング信号が加えられており、露光ヘッド駆動部７３は、露光制御部４７から入力するＰＷＭ信号を増幅し、増幅したＰＷＭ信号をシステムコントローラ４５から入力する露光タイミング信号に同期して露光ヘッド２５に出力する。
【０１１７】
露光ヘッド２５は、露光ヘッド駆動部７３から加えられるＰＷＭ信号に基づいて露光ヘッド２５の各ＬＥＤを発光し、インスタントフィルム１０の露光面１０ａを三色同時露光する。
【０１１８】
図１８は、エンコーダ信号のパルス信号に同期して露光する露光ヘッド２５の露光タイミング及び発光光量の補正（濃度補正）を示す図である。尚、図１８に示す例は、露光ヘッド２５の１つの赤色（Ｒ）のＬＥＤを発光制御するＰＷＭ信号を示している。
【０１１９】
同図に示すようにエンコーダ信号のパルス信号（パルス信号の立ち上がり）に同期して露光ヘッド２５の露光タイミングが制御される。
【０１２０】
また、図１８に示す例では、インスタントフィルム１０の搬送速度Ｖが基準の搬送速度Ｖ０よりも遅くなり、その結果、インスタントフィルム１０が基準の搬送速度Ｖ０で搬送される場合のＰＷＭ信号のパルス幅よりもΔＷだけパルス幅が狭くなるように補正されている。即ち、発光時間がΔＷだけ短くなり、発光光量が少なくなるように補正されている。
【０１２１】
尚、パルス幅の補正量ΔＷは、基準の搬送速度Ｖ０に対するインスタントフィルム１０の速度変動量に対応している。
【０１２２】
露光ヘッド２５によりインスタントフィルム１０に露光されるライン画像の露光タイミングは、エンコーダ信号のパルス信号に同期しているため、インスタントフィルム１０の単位送り量当りのライン画像の本数は、インスタントフィルム１０の搬送速度Ｖにかかわらず一定となり、インスタントフィルム１０の搬送速度Ｖの影響を受けない。これにより、インスタントフィルム１０の搬送速度を精度よく一定速度に制御する必要がなく、インスタントフィルムの搬送装置を安価な装置により実現することができる。
【０１２３】
一方、インスタントフィルム１０の搬送速度Ｖが変動し、搬送速度Ｖが基準の搬送速度Ｖ０よりも遅くなったり、又は速くなると、搬送速度Ｖが変動した部分にスジ状のムラが発生するが、上記のように濃度補正部４７ａを通じてインスタントフィルム１０の搬送速度に応じた発光光量の補正（濃度補正）を行うため、インスタントフィルム１０に印画された画像にスジ状のムラが発生しないようにすることができる。
【０１２４】
尚、本例では、インスタントフィルム１０は、ポジ感剤のインスタントフィルムであるが、ネガ感剤のインスタントフィルムには、発光光量の補正がポジ感剤のインスタントフィルムとは逆になり、例えば、ネガ感剤のインスタントフィルムの搬送速度が遅くなる程、露光ヘッド２５の発光光量を増加させる。
【０１２５】
また、本例では、露光ヘッド２５の発光光量をＰＷＭ信号（発光時間）により制御するようにしているが、これに限らず、露光ヘッド２５の発光光量は、露光ヘッドの発光強度の制御、又は発光時間と発光強度の両者の制御により実現するようにしてもよい。
【０１２６】
［プリンタ付き撮像装置］
図１９は第２の実施形態に係るプリンタ付きカメラ５００（プリンタ付き撮像装置）を正面側から見た外観斜視図である。プリンタ３００（図２参照）と同様に、プリンタ付きカメラ５００には装填室５１５が設けられてフィルムパックが装填され、装填室５１５は開閉式の蓋部材５０９で閉じられる。フィルムパックとしてはプリンタ３００と同じインスタントフィルムパック１が用いられ、インスタントフィルムパック１が装填されて蓋部材５０９が閉じられると、蓋部材５０９に設けられた押し上げ部材５２０が押し上げ部材挿入部３３に挿入されて遮光シート５０（図３参照）を前面側（押し上げ部材挿入部３３の開口面と反対側）に押し上げ、インスタントフィルム１０をケース２０の内面に押し当てる。尚、以降の説明においてプリンタ３００と同じ構成には同一の参照符号を付し、詳細な説明を省略する。
【０１２７】
＜カメラ本体＞
図１９に示すように、カメラ本体５０３の前面には、対物用ファインダ窓５０４、ズーム機能付きの撮影レンズ５０５、レリーズボタン５０６、ストロボ発光部、測光用の受光窓が露呈されている。また、カメラ本体５０３の中央部には、蓋部材５０９が設けられている。カメラ本体５０３の上面にはフィルム排出口５１０（図中点線）が設けられており、通常は排出口用の蓋５１１によって塞がれている。
【０１２８】
＜プリンタ付きカメラの構成＞
図２０にプリンタ付きカメラ５００の構成を示すブロック図である。撮影レンズ５０５の背後には撮像素子５７５が配置されており、撮影レンズ５０５により撮像素子５７５の受光面に被写体画像が結像される。撮像素子５７５は撮像素子ドライバ５７６により駆動され、光学的な被写体画像を電気的な撮像信号に変換して出力する。撮像素子５７５としては、ＣＣＤ（Charge Coupled Device）型及びＣＭＯＳ（Complementary Metal-Oxide Semiconductor）型の撮像素子を用いることができる。
【０１２９】
撮像素子５７５の光電面には赤色、緑色、及び青色のカラーフィルタがマトリクス状に配列され、色ごとに出力される撮像信号はアンプ５７７で増幅された後、Ａ／Ｄ（Analog to Digital）コンバータ５７８によってデジタル変換される。Ａ／Ｄコンバータ５７８は撮像信号をデジタル変換して画像データを生成し、これを画像データ処理回路５７９に入力する。撮像部として機能する撮影レンズ５０５，撮像素子５７５，撮像素子ドライバ５７６，Ａ／Ｄコンバータ５７８，及び画像データ処理回路５７９は画像データ入力部を構成する。
【０１３０】
画像データ処理回路５７９は、入力された画像データに対してホワイトバランス調節、ガンマ補正などの信号処理を行ってＤ／Ａ（Digital to Analog）コンバータ５８０及びアンプ５８１を介して映像信号用の出力端子５８２に出力し、かつ、ＬＣＤドライバ５５４に出力し、映像をＬＣＤパネル５３２に表示させる。また、画像データ処理回路５７９が出力する画像データは、システムコントローラ４５の制御により、露光ヘッド２５等を用いてインスタントフィルム１０に印画される。
【０１３１】
［プリント方法］
図２１はエンコーダ信号処理方法を含むプリント方法を示すフローチャートである。
【０１３２】
図２１において、プリンタ３００のエンコーダ信号処理装置５２は、ロータリーエンコーダ３６からエンコーダ信号を入力する（ステップＳ１０）。
【０１３３】
エンコーダ信号処理装置５２の有効検出期間設定部５２３（図１３）は、パルス信号検出部５２２によりエンコーダ信号からパルス信号が検出されると、次のパルス信号を検出するための有効検出期間を設定し（ステップＳ１２）、パルス信号検出部５２２は、設定された有効検出期間内において、エンコーダ信号からパスル信号を検出する（ステップＳ１４、図１４）。
【０１３４】
エンコーダ信号処理装置５２のパルス信号生成部５２４は、パルス信号検出部５２２により有効検出期間内にパルス信号が検出されたか否かを判別し（ステップＳ１６）、パルス信号が検出されない場合（「No」の場合）、有効検出期間後にパルス信号を生成（出力）する（ステップＳ１８、図１４）。
【０１３５】
そして、エンコーダ信号処理装置５２のパルス信号合成部５２５は、パルス信号検出部５２２により検出されたパルス信号、及びパルス信号生成部５２４により生成されたパルス信号を出力する（ステップＳ２０）。
【０１３６】
露光制御部４７は、１ライン分の画像データに基づいて露光ヘッド２５を駆動するためのＰＷＭ信号（画像データの各画素値に対応するＰＷＭ信号）を生成するが、露光制御部４７内の濃度補正部４７ａは、インスタントフィルムの搬送速度を示す搬送速度信号に基づいてＰＷＭ信号のパルス幅を補正する（ステップＳ２２）。尚、ＰＷＭ信号のパルス幅の補正は、インスタントフィルムの搬送速度が、基準の搬送速度と比較して遅い場合には露光ヘッド２５の発光時間が短くなるように補正し、速い場合には露光ヘッド２５の発光時間が長くなるように補正する。
【０１３７】
そして、露光ヘッド駆動部７３は、露光制御部４７から入力するＰＷＭ信号を増幅し、増幅したＰＷＭ信号を、エンコーダ信号のパルス信号（パルス信号に対応する露光タイミング信号）に同期して露光ヘッド２５に出力する。これにより、パルス信号に同期して露光ヘッド２５による露光タイミングが制御され、１ライン分のライン画像の露光が行われる（ステップＳ２４）。
【０１３８】
次に、システムコントローラ４５によりインスタントフィルム１枚のプリントが終了したか否かが判別され（ステップＳ２６）、プリントが終了していない場合（「No」の場合）には、ステップＳ１０に戻り、ステップＳ１０からステップＳ２６の処理が繰り返される。一方、プリントが終了した場合（「Yes」の場合）には、本処理を終了させる。
【０１３９】
［その他］
本実施形態のエンコーダ信号処理装置は、プリンタに設けられたロータリーエンコーダから出力されるエンコーダ信号を処理するものであるが、これに限らず、印画媒体以外の被搬送体の搬送速度を検出するエンコーダから被搬送体の搬送速度に応じた周期のパルス信号を含むエンコーダ信号を処理するものでもよい。
【０１４０】
また、エンコーダ信号は、ロータリーエンコーダから出力されるものに限らず、リニアエンコーダ等の他の種類のエンコーダから出力されるエンコーダ信号でもよい。
【０１４１】
更に印画媒体は、光量に応じて感光するインスタントフィルムに限らず、例えば、熱によって印画される感熱紙でもよく、この場合、ラインヘッドとしては露光ヘッドの代わりにサーマルヘッドが適用される。
【０１４２】
また、本発明は上述した各実施形態に限定されず、各実施形態の構成を適宜組み合わせたもの、又は本発明の精神を逸脱しない範囲で種々の変形が可能であることは言うまでもない。
【符号の説明】
【０１４３】
１  インスタントフィルムパック
１０  インスタントフィルム
１０ａ  露光面
１０ｂ  観察面
１２  露光部
１４  ポッド部
１４ａ  現像処理液ポッド
１６  トラップ部
１６ａ  吸収材
１８  観察部
２０  ケース
２２  ケース本体
２２ａ  正面部分
２２ｃ  底面部
２４  ケース蓋
２５  露光ヘッド
２６  露光開口部
２７  フィルム検出センサ
２８  排出口
２９  ケースフラップ材
３０  ＤＣモータ
３１  フィルム支持部
３２  クロー開口部
３２ａ  入口部
３２ｂ  通路部
３３  押し上げ部材挿入部
３４  キャプスタンローラ駆動部
３５  キャプスタンローラ
３５ａ、３５ｂ、４０ａ、４０ｂ  ローラ
３５ｃ  微小突起
３６  ロータリーエンコーダ
３７  回転スリット板
３７ａ  スリット
３８  検出部
３９  ピンチローラ
４０  展開ローラ
４１  展開ローラ駆動部
４２  遮光シート取付部
４５  システムコントローラ
４６  モータドライバ
４７  露光制御部
４７ａ  濃度補正部
４８  ラインメモリ
５０  遮光シート
５２、５２−２  エンコーダ信号処理装置
５３  第１遮光シート
５３ｂ  固定部
５４  第２遮光シート
６０  フィルムカバー
６２  切欠き部
６４  フィルムカバースカート材
７１  クロー駆動部
７２  クロー部材
７３  露光ヘッド駆動部
７５  無線通信部
１００  プリントシステム
２００  スマートフォン
３００  プリンタ
３１１  フィルム排出口
３０２  蓋部材
３０４  押し上げ部材
３１５  装填室
５００  プリンタ付きカメラ
５０３  カメラ本体
５０４  対物用ファインダ窓
５０５  撮影レンズ
５０６  レリーズボタン
５０９  蓋部材
５１０  フィルム排出口
５１１  蓋
５１５  装填室
５２１  エンコーダ信号入力部
５２２  パルス信号検出部
５２３  有効検出期間設定部
５２４  パルス信号生成部
５２５  パルス信号合成部
５２６  遅延回路
５３２  ＬＣＤパネル
５５４  ＬＣＤドライバ
５７５  撮像素子
５７６  撮像素子ドライバ
５７７  アンプ
５７８  Ａ／Ｄコンバータ
５７９  画像データ処理回路
５８０  Ｄ／Ａコンバータ
５８１  アンプ
５８２  出力端子
Ｓ１０〜Ｓ２６  ステップ
Ｔ、Ｔ１、Ｔ２  周期ΔＶ  変動幅ΔＷ  補正量Δｔ  有効検出期間
【図１】
0006553814.tif 000002
【図２】
0006553814.tif 000003
【図３】
0006553814.tif 000004
【図４】
0006553814.tif 000005
【図５】
0006553814.tif 000006
【図６】
0006553814.tif 000007
【図７】
0006553814.tif 000008
【図８】
0006553814.tif 000009
【図９】
0006553814.tif 000010
【図１０】
0006553814.tif 000011
【図１１】
0006553814.tif 000012
【図１２】
0006553814.tif 000013
【図１３】
0006553814.tif 000014
【図１４】
0006553814.tif 000015
【図１５】
0006553814.tif 000016
【図１６】
0006553814.tif 000017
【図１７】
0006553814.tif 000018
【図１８】
0006553814.tif 000019
【図１９】
0006553814.tif 000020
【図２０】
0006553814.tif 000021
【図２１】
0006553814.tif 000022